(57)【特許請求の範囲】
【請求項１】
各別にコイル（１７）を巻回した二つのコイルボビン（１、２）を、コイルボビンの軸方向Ｘ−Ｘと直交する横方向Ｙ−Ｙに配置し、二つのコイルボビン（１、２）の軸方向Ｘ−Ｘの両側から２個一対のコア（１９）を組み込み、一体化してなるリアクターにおいて、
前記二つのコイルボビン（１、２）の合わせ面（８）における前記軸方向Ｘ−Ｘと直交する縦方向Ｚ−Ｚの一端部側であるフランジ（４、４）の肉厚部（５、５）に、蟻（１０）と蟻溝（１１）とを前記縦方向Ｚ−Ｚから相対的に嵌め込んで結合する第１ロック機構（９）を設け、
前記二つのコイルボビン（１、２）の合わせ面（８）における前記縦方向Ｚ−Ｚの他端部側には、コイルボビン（１、２）のフランジ（４、４）に形成された切欠溝（１３）と係合片（１４）とを前記縦方向Ｚ−Ｚからスナップ結合する第２ロック機構（１２）を設け、
前記第１ロック機構（９）が設けられた肉厚部（５、５）は二つのコイルボビン（１、２）を一体化してなるリアクターの他部品への取付部側であり、
前記二つのコイルボビン（１、２）のフランジ（４）の肉厚部（５）に、それぞれピン端子取付用穴（６）を設けるとともに、前記二つのコイルボビン（１、２）のフランジ（４）に、リード線引出溝（１５）を形成し、前記ピン端子取付用穴（６）にピン端子（１６）を植設し、またはピン端子（１６）を植設せず前記リード線引出溝（１５）から前記コイル（１７）のリード線（１８）を引き出し、ピン端子タイプまたはリードタイプとに選択的に使用可能に構成した
ことを特徴とするリアクター。
【発明の詳細な説明】
【０００１】
【発明の属する技術分野】
この発明は、いわゆるテレビ等の電源回路の一次側に組み込まれ、高調波電流抑制用として使用されるリアクターに関する。
【０００２】
【従来の技術】
リアクターには、二つのコイルボビンを用いたものがある。
【０００３】
前記二つのコイルボビンを位置決めする従来技術としては、実開平７−３１１３号公報に記載の技術がある。
【０００４】
この実開平７−３１１３号公報に記載の従来技術では、二つのコイルボビンのフランジにおける合わせ面に、係合用凸部と係合用凹部とを４組設け、当該係合用凸部と係合用凹部とを相対的に嵌合させて二つのコイルボビンを位置決めするようにしている。
【０００５】
【発明が解決しようとする課題】
しかし、前記従来技術では係合用凸部と係合用凹部の嵌合を介して、二つのコイルボビンを位置決めしているのみで、二つのコイルボビンを結合することについて配慮されていない。
【０００６】
したがって、二つのコイルボビンにコアを組み込む時など、他の部品を組み付ける際の作業性が悪い、という課題があった。
【０００７】
本発明は、上記のことに鑑み提案されたもので、その目的とするところは、二つのコイルボビンを簡単に、かつ所期の結合状態に正確に保持でき、しかも強固に一体化し、組立作業性の向上を図り得るリアクターを提供することにある。
【０００８】
また、本発明は、ピン端子タイプあるいはリードタイプのリアクターに選択的に適用可能なリアクターを提供することにある。
【０００９】
【課題を解決するための手段】
前記目的を達成するため、本発明では各別にコイル１７を巻回した二つのコイルボビン１、２を、コイルボビンの軸方向Ｘ−Ｘと直交する横方向Ｙ−Ｙに配置し、二つのコイルボビン１、２の軸方向Ｘ−Ｘの両側から２個一対のコア１９を組み込み、一体化してなるリアクターにおいて、前記二つのコイルボビン１、２の合わせ面８における前記軸方向Ｘ−Ｘと直交する縦方向Ｚ−Ｚの一端部側であるフランジ４、４の肉厚部５、５に、蟻１０と蟻溝１１とを前記縦方向Ｚ−Ｚから相対的に嵌め込んで結合する第１ロック機構９を設け、前記二つのコイルボビン１、２の合わせ面８における前記縦方向Ｚ−Ｚの他端部側には、コイルボビン１、２のフランジ４、４に形成された切欠溝１３と係合片１４とを前記縦方向Ｚ−Ｚからスナップ結合する第２ロック機構１２を設け、前記第１ロック機構９が設けられた肉厚部５、５は二つのコイルボビン１、２を一体化してなるリアクターの他部品への取付部側であり、前記二つのコイルボビン１、２のフランジ４の肉厚部５に、それぞれピン端子取付用穴６を設けるとともに、前記二つのコイルボビン１、２のフランジ４に、リード線引出溝１５を形成し、前記ピン端子取付用穴６にピン端子１６を植設し、またはピン端子１６を植設せず前記リード線引出溝１５から前記コイル１７のリード線１８を引き出し、ピン端子タイプまたはリードタイプとに選択的に使用可能に構成したことを特徴とする。
【００１３】
【発明の実施の形態】
以下、本発明の実施例を図面に基づいて説明する。
【００１４】
図１は互いに結合すべき二つのコイルボビンの一実施例を示すもので、結合前の二つのコイルボビンの斜視図である。また、図２，図３，図４，図５および図６は前記二つのコイルボビンのうちの一つのコイルボビンについて示した平面図，正面図，底面図，左側面図および右側面図である。さらに、図７および図８は二つのコイルボビンを結合しかつピン端子タイプとして用いた場合の正面図および右側面図である。そして、図９および図１０は二つのコイルボビンを結合しかつリードタイプとして用いた場合の正面図および右側面図である。
【００１５】
これらの図に示す実施例では、図１〜図６に示すように、二つのコイルボビン１，２はそれぞれ巻胴部３と、この巻胴部３におけるコイルボビンの軸方向Ｘ−Ｘの両端部にそれぞれ設けられたフランジ４と、このフランジ４における下部であって前記軸方向Ｘ−Ｘと直交する縦方向Ｚ−Ｚの一端部側に設けられた肉厚部５と、この肉厚部５に設けられたピン端子取付用穴６と、同肉厚部５に形成されたピン端子タイプ用のコイル端末引出溝７と、二つのコイルボビン１，２の合わせ面８と、この合わせ面８における前記縦方向Ｚ−Ｚの一端部側であるフランジ４の肉厚部５に設けられた第１ロック機構９と、二つのコイルボビン１，２の合わせ面８における前記縦方向Ｚ−Ｚの他端部側に設けられた第２ロック機構１２と、前記フランジ４に形成されたリードタイプ用のリード線引出溝１５とを有している。
【００１６】
前記ピン端子取付用穴６は、各フランジ４の肉厚部５における前記縦方向Ｚ−Ｚの一端面である下端面に、前記軸方向Ｘ−Ｘと直交する横方向Ｙ−Ｙに所定の間隔をおいて複数個ずつ設けられ、かつ前記縦方向Ｚ−Ｚの一端面から内部に向かって所定深さに設けられている。
【００１７】
前記ピン端子タイプ用のコイル端末引出溝７は、前記ピン端子取付用穴６，６間に形成されている。
【００１８】
前記第１ロック機構９は、フランジ４の肉厚部５において、二つのコイルボビン１，２の合わせ面８に臨ませて設けられた蟻１０と蟻溝１１とにより構成されている。そして、二つのコイルボビン１，２のうちの例えばコイルボビン１の軸方向Ｘ−Ｘの左側の肉厚部５に蟻溝１１を設けた場合には、同コイルボビン１の軸方向Ｘ−Ｘの右側の肉厚部５には蟻１０を設け、他のコイルボビン２の軸方向Ｘ−Ｘの左側の肉厚部５には蟻１０を設け、同コイルボビン２の軸方向Ｘ−Ｘの右側の肉厚部５には蟻溝１１を設けるというように、一つのコイルボビンに対して蟻１０と蟻溝１１とを一つずつ設けるとともに、一つのコイルボビンに設けられた蟻１０と蟻溝１１に他の一つのコイルボビンに設けられた蟻溝１１と蟻１０を、二つのコイルボビン１，２の合わせ面８で前記縦方向Ｚ−Ｚから相対的に嵌め込んで結合し得るように構成されている。
【００１９】
前記第２ロック機構１２は、フランジ４における前記肉厚部５とは縦方向Ｚ−Ｚの反対側において、二つのコイルボビン１，２の合わせ面８に臨ませて設けられた切欠溝１３と係合片１４とにより構成されている。しかして、二つのコイルボビン１，２のうちの例えばコイルボビン１の軸方向Ｘ−Ｘの左側のフランジ４に係合片１４を設けた場合には、同コイルボビン１の軸方向Ｘ−Ｘの右側のフランジ４には切欠溝１３を設け、他のコイルボビン２の軸方向Ｘ−Ｘの左側のフランジ４には切欠溝１３を設け、同コイルボビン２の軸方向Ｘ−Ｘの右側のフランジ４には係合片１４を設けるというように、一つのコイルボビンに対して切欠溝１３と係合片１４とを一つずつ設けるとともに、一つのコイルボビンに設けられた切欠溝１３と係合片１４に、他の一つのコイルボビンに設けられた係合片１４と切欠溝１３を、二つのコイルボビン１，２の合わせ面８で前記縦方向Ｚ−Ｚから相対的に嵌め込んでスナップ結合し得るように構成されている。
【００２０】
ところで、本発明にかかるリアクターは前記二つのコイルボビン１，２と、各コイルボビン１，２に巻回されたコイル１７と、コア１９とを有している。
【００２１】
前記コイル１７は、コイルボビン１，２の巻胴部３にそれぞれ巻回されている。なお、巻回されたコイル１７の外周は所定巾の絶縁テープの如き絶縁材で被覆される。
【００２２】
前記二つのコイルボビン１，２は、巻胴部３にそれぞれコイル１７が巻回された後、二つのコイルボビン１，２の合わせ面８に設けられた第１，第２ロック機構９，１２を介して結合されている。その第１，第２ロック機構９，１２による結合は、一つのコイルボビンに設けられた第１ロック機構９の蟻１０と蟻溝１１に、他の一つのコイルボビンに設けられた第１ロック機構９の蟻溝１１と蟻１０を嵌合可能に前記軸方向Ｘ−Ｘおよび横方向Ｙ−Ｙの位置を合わせ、二つのコイルボビン１，２を相対的に前記縦方向Ｚ−Ｚにスライドさせ、一つのコイルボビンに設けられた第１ロック機構９の蟻１０と蟻溝１１に、他の一つのコイルボビンに設けられた第１ロック機構９の蟻溝１１と蟻１０を嵌め込む。この第１ロック機構９の蟻１０と蟻溝１１を嵌め込んで行く過程で、一つのコイルボビンに設けられた第２ロック機構１２の切欠溝１３と係合片１４に、他の一つのコイルボビンに設けられた第２ロック機構１２の係合片１４と切欠溝１３が係合して行き、第２ロック機構１２の切欠溝１３と係合片１４が差し掛かる所定位置まで進むと、係合片１４が自らの弾発力により切欠溝１３に納まり、第２ロック機構１２の切欠溝１３と係合片１４がスナップ結合する。
【００２３】
したがって、この実施例では第１ロック機構９の蟻１０と蟻溝１１が互いに嵌合するように位置合わせしたうえで前記縦方向Ｚ−Ｚにスライドさせることにより、第１ロック機構９の蟻１０と蟻溝１１とを結合させることができると同時に、第２ロック機構１２の切欠溝１３と係合片１４とを結合させることができるので、二つのコイルボビン１，２を容易に結合させることができる。
【００２４】
また、第１，第２ロック機構９，１２により、二つのコイルボビン１，２の軸方向Ｘ−Ｘの位置を保持することができるし、第１ロック機構９により、二つのコイルボビン１，２の横方向Ｙ−Ｙの位置を保持することができるし、第２ロック機構１２により、二つのコイルボビン１，２の縦方向Ｚ−Ｚの位置決めをなし得るとともに同縦方向Ｚ−Ｚの位置を保持することができるので、二つのコイルボビン１，２を使用状態に正確に保形することができる。
【００２５】
さらに、二つのコイルボビン１，２を、蟻１０に蟻溝１１を結合させる第１ロック機構９と、切欠溝１３に係合片１４をスナップ結合させる第２ロック機構１２とにより強固に結合できるので、組立作業性の向上を得ることができる。
【００２６】
前記コア１９は、２個一対をなすもので、各コア１９はＵ型に形成されている。
【００２７】
そして、一つのコア１９の脚部を、前記組み合わされたコイルボビン１，２の軸方向Ｘ−Ｘの一端部側のフランジ４の外部から巻胴部３の内部に挿入し、他の一つのコア１９の脚部を、組み合わされたコイルボビン１，２の軸方向Ｘ−Ｘの他端部側のフランジ４の外部から巻胴部３の内部に挿入し、二つのコア１９を接着剤で固定している。
【００２８】
ところで、前述のごとく互いに結合された二つのコイルボビン１，２と、各コイルボビン１，２の巻胴部３にそれぞれ巻回されたコイル１７と、二つのコア１９を固定したアセンブリを、ピン端子タイプのリアクター２０として用いる場合には、次のように構成する。
【００２９】
すなわち、図７および図８に示すように、二つのコイルボビン１，２の各フランジ４の肉厚部５に設けられたピン端子取付用穴６に、ピン端子１６を差し込んで植設し、各コイル１７の巻始端部と巻終端部を、コイルボビン１，２のフランジ４の肉厚部５に形成されたピン端子タイプ用のコイル端末引出溝７からピン端子１６側に引き出し、前記各コイル１７の巻始端部と巻終端部とを各別にピン端子１６に巻き付けてハンダ付けして固定する。そして、前記ピン端子１６を、例えばプリント基板（図示せず）に差し込んで電気的に接続して使用する。
【００３０】
一方、前述のごとく互いに結合された二つのコイルボビン１，２と、各コイルボビン１，２の巻胴部３にそれぞれ巻回されたコイル１７と、二つのコア１９を固定したアセンブリを、リードタイプのリアクター２１として使用する場合は、次のように組み立てる。
【００３１】
すなわち、図９および図１０に示すように、ピン端子を植設せず、前記アセンブリを取付金具２２に取り付ける。
【００３２】
前記取付金具２２は、床部２３と、床部２３の幅方向の両側部に形成された取付部２４，２４と、取付部２４，２４の長さ方向の一端部側に形成された位置決め部２５，２５と、同取付部２４，２４の長さ方向の他端部側に形成された固定片２６，２６とを有している。
【００３３】
そこで、前記取付金具２２に形成された取付部２４，２４に、コイルボビン１，２のフランジ４の肉厚部５，５の位置を合わせ、固定片２６，２６側から取付部２４，２４にフランジ４，４の肉厚部５，５を挿入し、位置決め部２５，２５に肉厚部５，５が当接するまで押し込み、取付金具２２に前記アセンブリを位置決めする。
【００３４】
前記取付金具２２に対して、前記アセンブリを位置決めした後、固定片２６，２６を互いに内側に折り曲げ、またはねじり、取付金具２２に前記アセンブリを固定する。
【００３５】
そして、コイルボビン１，２のコイル１７にリード線１８を接続・引き出し、かつコイル外周には絶縁テープ２７が巻かれ、さらに取付金具２２を取付け、リードタイプのリアクター２１として使用する。
【００３６】
以上のように、この実施例によれば、コイルボビン１，２のフランジ４の肉厚部５に設けられたピン端子取付用穴６にピン端子を差し込まず、取付金具２２にコイルボビン１，２とコイル１７とコア１９のアセンブリを取り付け、コイル１７からリード線１８を引き出すことによって、リードタイプのリアクター２１として用いることができる。
【００３７】
【発明の効果】
以上説明したように、本発明では二つのコイルボビン１，２の合わせ面８におけるコイルボビンの軸方向Ｘ−Ｘと直交する縦方向Ｚ−Ｚの一端部側であるフランジ４，４の肉厚部５，５に、蟻１０と蟻溝１１とを前記縦方向Ｚ−Ｚから相対的に嵌め込んで結合する第１ロック機構９を設け、前記二つのコイルボビン１，２の合わせ面８における前記縦方向Ｚ−Ｚの他端部側には、コイルボビン１，２のフランジ４，４に形成された切欠溝１３と係合片１４とを前記縦方向Ｚ−Ｚからスナップ結合する第２ロック機構１２を設けているので、第１ロック機構９の蟻１０と蟻溝１１とを位置合わせしたうえで前記縦方向Ｚ−Ｚにスライドさせるだけで、第１ロック機構９の蟻１０と蟻溝１１、および第２ロック機構１２の切欠溝１３と係合片１４とを一緒に嵌め込み、二つのコイルボビン１，２を簡単に結合できる効果があり、前記第１，第２ロック機構９，１２の結合により、二つのコイルボビン１，２を位置決め状態を正確に保持でき、しかも蟻１０と蟻溝１１との結合による第１ロック機構９と、切欠溝１３と係合片１４とのスナップ結合による第２ロック機構１２とにより、二つのコイルボビン１，２を結合しているので、構造上強力に結合できることとが相俟ち、組み付けられた二つのコイルボビン１，２に対する他の部材の組立作業性の向上を図り得る効果がある。
【００３８】
また、本発明では前記二つのコイルボビン１，２のフランジ４の肉厚部５に、それぞれピン端子１６を植設し、ピン端子タイプのリアクターとして用いることができる、という効果がある。
【００３９】
さらに、本発明では前記二つのコイルボビン１，２のフランジ４に、リード線引出溝１５を形成し、このリード線引出溝１５からコイル１７のリード線１８を引き出し、リードタイプのリアクターとして用いることができる、という効果がある。
【００４０】
そして、本発明では前記二つのコイルボビン１，２のフランジ４の肉厚部５にそれぞれピン端子取付用穴６を設けるとともに、前記二つのコイルボビン１，２のフランジ４に、リード線引出溝１５を形成し、ピン端子タイプとリードタイプとに選択的に使用可能に構成しているので、ピン端子タイプのリアクターと、リードタイプのリアクターとに選択的に用いることができる、という効果がある。
【図面の簡単な説明】
【図１】互いに結合すべき二つのコイルボビンの一実施例を示すもので、結合前の二つのコイルボビンの斜視図である。
【図２】結合すべき二つのコイルボビンのうちの一つについて示した平面図である。
【図３】図２に示すコイルボビンの正面図である。
【図４】図２に示すコイルボビンの底面図である。
【図５】図２に示すコイルボビンの左側面図である。
【図６】図２に示すコイルボビンの右側面図である。
【図７】二つのコイルボビンを結合しかつピン端子タイプのリアクターとして用いた正面図である。
【図８】図７のリアクターの右側面図である。
【図９】二つのコイルボビンを結合しかつリードタイプのリアクターとして用いた正面図である。
【図１０】図９に示すリアクターの右側面図である。
【符号の説明】
１，２  コイルボビン
４    コイルボビンのフランジ
５    コイルボビンのフランジの肉厚部
６    ビン端子取付用穴
８    コイルボビンの合わせ面
９    第１ロック機構
１０  第１ロック機構の蟻
１１  第１ロック機構の蟻溝
１２  第２ロック機構
１３  第２ロック機構の切欠溝
１４  第２ロック機構の係合片
１５  リードタイプにおけるリード線引出溝
１６  ピン端子
１７  コイル
１８  リード線
１９  コア
２０  ピン端子タイプのリアクター
２１  リードタイプのリアクター
２２  リアクターの取付金具
【図１】
0005008213.tif 000002
【図２】
0005008213.tif 000003
【図３】
0005008213.tif 000004
【図４】
0005008213.tif 000005
【図５】
0005008213.tif 000006
【図６】
0005008213.tif 000007
【図７】
0005008213.tif 000008
【図８】
0005008213.tif 000009
【図９】
0005008213.tif 000010
【図１０】
0005008213.tif 000011